(57)【要約】【課題】ユーザが巻物を容易に作成することを可能とする技術を提供する。【解決手段】本紙２０を軸芯３０に巻き付けた巻物１０を作成するための巻物セット５０を提供する。巻物セット５０は、長方形の本紙２０の一辺を着脱自在に取り付けるための第１取付機構の一例であるキャップ３２を備えた軸芯３０と、本紙２０の、軸芯３０に取り付ける辺に対向する辺を着脱自在に取り付けるための第２取付機構の一例である発装４２を備えた表紙４０とを備える。【選択図】図１
2013095130.tif 000002
【特許請求の範囲】
【請求項１】
本紙を軸芯に巻き付けた巻物を作成するための巻物セットであって、
長方形の本紙の一辺を着脱自在に取り付けるための第１取付機構を備えた軸芯と、
前記本紙の、前記軸芯に取り付ける辺に対向する辺を着脱自在に取り付けるための第２取付機構を備えた表紙と、
を備えることを特徴とする巻物セット。
【請求項２】
前記第１取付機構は、
前記軸芯の外周の軸方向に設けられ、前記本紙の一辺を挿入可能なスリットと、
前記軸芯を締め付けることにより前記スリットを閉じさせて、前記スリットに挿入された前記本紙の一辺を前記スリットに挟持させる締付機構と、
を含むことを特徴とする請求項１に記載の巻物セット。
【請求項３】
前記締付機構は、前記軸芯の一端又は両端にはめ込むキャップを含み、
前記キャップは、開口部の内周の半径よりも、前記開口部よりも奧側の内周の半径の方が短いことを特徴とする請求項２に記載の巻物セット。
【請求項４】
前記第２取付機構は、２つ折りにされた前記表紙の間に挿入された前記本紙を、２つ折りの部分において前記表紙の外側から挟持することを特徴とする請求項１から３のいずれかに記載の巻物セット。
【請求項５】
前記表紙の少なくとも一部は、マグネットシート又は静電気を帯びたシートにより構成されることを特徴とする請求項１から４のいずれかに記載の巻物セット。
【請求項６】
前記表紙の少なくとも一部は、前記軸芯に巻き付ける方向に巻きぐせがつけられた形状記憶シートにより構成されることを特徴とする請求項１から５のいずれかに記載の巻物セット。
【請求項７】
長方形の本紙と、
前記本紙の一辺を着脱自在に取り付けるための第１取付機構を備えた軸芯と、
前記本紙の、前記軸芯に取り付ける辺に対向する辺を着脱自在に取り付けるための第２取付機構を備えた表紙と、
を備えることを特徴とする巻物。
【発明の詳細な説明】
【技術分野】
【０００１】  本発明は、巻物に関する。本発明は、とくに、巻物を作成するための巻物セットと、その巻物セットを用いて作成された巻物に関する。
【背景技術】
【０００２】  古来、文字や絵などを記した書簡を保存するために巻物が用いられてきた。製本技術の発達に伴って、巻物はほとんど用いられなくなったが、近年、その芸術性の高さから、手紙や、記念品などとしての利用が見直されつつある。【０００３】  ユーザが気軽に巻物を作成することを可能とするために、無地の本紙に軸芯と表紙を取り付けた巻物セットが提供されている。
【発明の概要】
【発明が解決しようとする課題】
【０００４】  しかし、従来の巻物セットは、構造上は巻物として完成された状態で販売されるので、ユーザは、無地の本紙に直接文章や絵などを書くことができるのみで、プリンターなどを用いて本紙に文章や絵などを印刷したり、別の本紙に差し替えたりすることはできなかった。また、本紙に別の紙を貼り付けることはできても、全体をうまく貼り付けられなければ、貼り付けた紙が浮いたりずれたりする場合があるし、紙が長い場合には、何周も軸芯に巻き付けるうちに本紙と貼り付けた紙のずれが大きくなってうまく巻き付けられなくなる場合もある。また、本紙の長さを変更することができないので、本紙が足りなかったり、余りすぎたりすることがあった。【０００５】  本発明はこうした状況に鑑みてなされたものであり、その目的は、ユーザが巻物を容易に作成することを可能とする技術を提供することにある。
【課題を解決するための手段】
【０００６】  本発明のある態様は、巻物セットに関する。この巻物セットは、本紙を軸芯に巻き付けた巻物を作成するための巻物セットであって、長方形の本紙の一辺を着脱自在に取り付けるための第１取付機構を備えた軸芯と、前記本紙の、前記軸芯に取り付ける辺に対向する辺を着脱自在に取り付けるための第２取付機構を備えた表紙と、を備えることを特徴とする。【０００７】  前記第１取付機構は、前記軸芯の外周の軸方向に設けられ、前記本紙の一辺を挿入可能なスリットと、前記軸芯を締め付けることにより前記スリットを閉じさせて、前記スリットに挿入された前記本紙の一辺を前記スリットに挟持させる締付機構と、を含んでもよい。【０００８】  前記締付機構は、前記軸芯の一端又は両端にはめ込むキャップを含んでもよく、前記キャップは、開口部の内周の半径よりも、前記開口部よりも奧側の内周の半径の方が短くてもよい。【０００９】  前記第２取付機構は、２つ折りにされた前記表紙の間に挿入された前記本紙を、２つ折りの部分において前記表紙の外側から挟持してもよい。【００１０】  前記表紙の少なくとも一部は、マグネットシート又は静電気を帯びたシートにより構成されてもよい。【００１１】  前記表紙の少なくとも一部は、前記軸芯に巻き付ける方向に巻きぐせがつけられた形状記憶シートにより構成されてもよい。【００１２】  本発明の別の態様は、巻物に関する。この巻物は、長方形の本紙と、前記本紙の一辺を着脱自在に取り付けるための第１取付機構を備えた軸芯と、前記本紙の、前記軸芯に取り付ける辺に対向する辺を着脱自在に取り付けるための第２取付機構を備えた表紙と、を備えることを特徴とする。【００１３】  なお、以上の構成要素の任意の組合せ、本発明の表現を方法、装置、システムなどの間で変換したものもまた、本発明の態様として有効である。
【発明の効果】
【００１４】  本発明によれば、ユーザが巻物を容易に作成することを可能とする技術を提供することができる。
【図面の簡単な説明】
【００１５】
【図１】  実施の形態に係る巻物の外観を示す図である。
【図２】  軸芯の外観を示す図である。
【図３】  軸芯のスリットに本紙の一辺が挿入された様子を示す図である。
【図４】  キャップの断面を模式的に示す図である。
【図５】  本紙の一辺が軸芯に取り付けられた様子を示す図である。
【図６】  表紙の外観を示す図である。
【図７】  ２つ折りにされた表紙の間に本紙の一辺が挿入される様子を示す図である。
【図８】  ２つ折りにされた表紙の間に本紙の一辺が挿入された様子を示す図である。
【図９】  表紙に発装が取り付けられた様子を示す図である。
【発明を実施するための形態】
【００１６】  図１は、実施の形態に係る巻物の外観を示す。巻物１０は、実施の形態に係る巻物セット５０と長方形の本紙２０から作成される。巻物セット５０は、本紙を巻き付けるための軸芯３０と、軸芯３０に巻き付けられた本紙２０の外側を包むための表紙４０を含む。軸芯３０は、本紙２０の一辺を着脱自在に取り付けるための第１取付機構の一例であるキャップ３２を備える。表紙４０は、本紙２０の、軸芯３０に取り付ける辺に対向する辺を着脱自在に取り付けるための第２取付機構の一例である発装４２と、表紙４０の外側から巻物をくくるための紐４４を備える。
【００１７】  巻物セット５０の軸芯３０及び表紙４０は、本紙２０を着脱自在に取り付け可能であるから、ユーザは、本紙２０を含まない巻物セット５０を購入し、好みの文章や絵などを印刷又は記載した本紙２０を用意して、容易にオリジナルの巻物１０を作成することができる。また、本紙２０を容易に差し替えて別の巻物１０を作成することができる。
【００１８】  図２は、軸芯３０の外観を示す。軸芯３０の外周には、軸方向にスリット３４が設けられる。このスリット３４には、本紙２０の一辺が挿入される。
【００１９】  図３は、軸芯３０のスリット３４に本紙２０の一辺が挿入された様子を示す。つづいて、軸芯３０の一端又は両端に、キャップ３２がはめ込まれる。
【００２０】  図４は、キャップ３２の断面を模式的に示す。キャップ３２は、開口部３３の内周の半径よりも、開口部３３よりも奧側の内周の半径の方が短くなっている。したがって、キャップ３２を軸芯３０の端にはめ込むと、軸芯３０がキャップ３２の内周により外側から締め付けられる。これにより、スリット３４が閉じられ、スリット３４に挿入された本紙２０の一辺がスリット３４により挟持されて固定される。
【００２１】  図５は、本紙２０の一辺が軸芯３０に取り付けられた様子を示す。このようにして、本紙２０が、軸芯３０に着脱自在に取り付けられる。
【００２２】  軸芯３０を外側から締め付けたときにスリット３４が閉じるようにするために、軸芯３０は、プラスチックなどの弾性を有する素材により構成されることが好ましい。スリット３４を閉じさせるための機構は、キャップに限られず、ボタン、ネジ、線ファスナー、面ファスナー、ゴム、バネなど、軸芯３０を締め付けてスリット３４を閉じさせることが可能な任意の機構であってもよい。
【００２３】  キャップ３２の外周の直径を、軸芯３０の直径よりも大きくしてもよい。例えば、キャップ３２の外周の直径を、軸芯３０の直径よりも、１ミリメートル以上大きくしてもよいし、５ミリメートル以上大きくしてもよい。これにより、本紙２０を軸芯３０に巻き付けるときに、キャップ３２がガイドの役割を果たし、本紙２０がずれたり曲がったりするのを防ぐことができ、巻きやすい巻物１０を提供することができる。また、本紙２０を軸芯３０に巻き付けたときの本紙２０の厚みと同程度、又はそれ以上、キャップ３２の外周の直径を軸芯３０の直径よりも大きくしておくことにより、本紙２０を保護することができ、本紙２０の保存状態を良好に保つことができる。また、キャップ３２の外表面に装飾を施すなどして、巻物１０の芸術性を高めてもよい。
【００２４】  第１取付機構は、スリットと締付機構に限られず、本紙２０を軸芯３０に取り付けることが可能な任意の機構が用いられてもよい。
【００２５】  図６は、表紙４０の外観を示す。本紙２０の一辺を表紙４０に取り付けるとき、表紙４０が２つ折りにされ、図７に示すように、２つ折りにされた表紙４０の間に本紙２０が挿入される。
【００２６】  図８は、２つ折りにされた表紙４０の間に本紙２０の一辺が挿入された様子を示す。つづいて、２つ折りの部分に、発装４２が取り付けられる。
【００２７】  図９は、表紙４０に発装４２が取り付けられた様子を示す。発装４２は、２つ折りにされた表紙４０の間に挿入された本紙２０を、２つ折りの部分において表紙４０の外側から挟持することにより固定する。このようにして、本紙２０が、表紙４０に着脱自在に取り付けられる。
【００２８】  第２取付機構は、表紙４０と本紙２０を挟む機構に限られず、本紙２０を表紙４０に取り付けることが可能な任意の機構が用いられてもよい。例えば、表紙４０の裏側に、本紙２０を着脱可能な程度の粘着力の粘着剤が塗布されていてもよい。また、磁気又は静電気を帯びた２枚の表紙で本紙を挟んでもよい。マグネットシートを用いる場合には、極性が揃うように２枚のマグネットシートを重ね合わせ、その間に本紙を挟む。一方がマグネットシートで、他方はマグネットに引き寄せられる材料を含むシートであってもよい。
【００２９】  表紙の少なくとも一部は、マグネットシート又は静電気を帯びたシートにより構成される。これにより、本紙２０の外側に表紙４０を巻き付けたときに、上下に重なったマグネットシート又は静電気を帯びたシート同士が貼り付くので、巻きやすく、型くずれしにくい巻物を提供することができる。表紙４０を２つ折りにする場合は、その一方のみがマグネットシートを含んでもよい。別の例では、表紙４０と本紙２０との間に、マグネットシート又は静電気を帯びたシートが挿入されてもよい。更に別の例では、本紙２０の、表紙４０に取り付けられる辺の近傍の部分が、マグネットシート又は静電気を帯びたシートにより構成されてもよい。
【００３０】  表紙の少なくとも一部は、軸芯３０に巻き付ける方向に巻きぐせがつけられた形状記憶シートにより構成されてもよい。これによっても、巻きやすく、型くずれしにくい巻物を提供することができる。また、表紙４０に近い部分を順次表紙４０に容易に巻き付けながら本紙２０を開いていくことができるので、本紙２０が長い場合であっても、開いて読みやすい巻物を提供することができる。
【００３１】  以上、本発明を実施例をもとに説明した。この実施例は例示であり、その各構成要素や各処理プロセスの組合せにいろいろな変形が可能なこと、またそうした変形例も本発明の範囲にあることは当業者に理解されるところである。
【００３２】  実施の形態では、巻物を作成する場合を例にとって説明したが、本発明の技術は、掛け軸などにも当然適用可能である。軸芯を中空にしておき、掛け軸をしまうときに、巻いた本紙を軸芯の内部に収納可能としてもよい。
【符号の説明】
【００３３】１０    巻物、
２０    本紙、
３０    軸芯、
３２    キャップ、
３３    開口部、
３４    スリット、
４０    表紙、
４２    発装、
４４    紐、
５０    巻物セット。
【図１】
2013095130.tif 000003
【図２】
2013095130.tif 000004
【図３】
2013095130.tif 000005
【図４】
2013095130.tif 000006
【図５】
2013095130.tif 000007
【図６】
2013095130.tif 000008
【図７】
2013095130.tif 000009
【図８】
2013095130.tif 000010
【図９】
2013095130.tif 000011